(57)【特許請求の範囲】
【請求項１】
床面を掃除する掃除部と、駆動されてこの掃除部を移動させる移動手段と、この移動手段を駆動する駆動手段とを備えた自走式掃除機であって、
使用者が有して前記自走式掃除機の移動すべき位置を指示あるいは教示する位置指示手段と、前記自走式掃除機側に設けられ前記位置指示手段の位置又は方向、あるいは指示または教示された位置又は方向を計測する計測手段と、を備え、
前記位置指示手段はボタンスイッチと発光手段又は発信手段を内蔵しており、前記ボタンスイッチによって前記自走式掃除機の動作モードとして追尾動作、教示動作及び実行動作が選択可能とされ、選択された動作モードに合わせて前記発光手段又は発信手段から位置信号を発光又は発信し、
前記計測手段で前記動作モードを判別して前記位置指示手段の発光手段又は発信手段が発光又は発信した位置又は方向を計測し、
前記追尾動作モードでは操作者が前記位置指示手段を保持して移動すると、前記自走式掃除機の正面から前記位置指示手段までの距離が最も短くなるように前記自走式掃除機を移動し、
前記教示動作モードでは前記計測手段が計測した位置を一時記憶し、複数の教示位置の入力から成る領域を判断し、この領域を掃除する領域として設定し、
操作者は、前記位置指示手段により前記追尾動作モードにセットして収納場所から掃除場所に移動させ、前記教示動作モードにセットして掃除すべき領域を設定し、前記実行動作モードにセットして予め設定されたパターンで前記領域内を移動して掃除を行うことを特徴とする自走式掃除機。
【請求項２】
請求項１に記載のものにおいて、前記発光手段又は発信手段により、前記追尾動作では常時または周期的に信号を出力し続け、前記教示動作では操作者がスイッチを押下する度に信号を出力し、前記実行動作では信号を１回だけ出力することを特徴とする自走式掃除機。
【請求項３】
請求項１に記載のものにおいて、前記位置指示手段は、使用者が手に把持、あるいは身体や衣服に装着可能とされたことを特徴とする自走式掃除機。
【発明の詳細な説明】
【０００１】
【発明の属する技術分野】
本発明は自走して掃除する自走式掃除機及びその操作方法に係り、特に、操作者の指示で移動するのに好適な自走式掃除機に関する。
【０００２】
【従来の技術】
家庭内においても掃除は家人にとって負担の大きい家事の１つである。特に、病気や事故が原因で身体機能に障害を有する人や筋力等の機能が低下した高齢者が掃除機を操作することは負担が大きい。しかし、オフィスや公共施設等で用いられている自走式掃除機は予め地図を入力して掃除場所を指示する必要があり、家庭のように環境が日々変化するような場所の掃除を的確に指示することは困難であった。
【０００３】
これに対して、特開平５−２５３１２８号公報に記載の電気掃除機のように、操作者がホースを引き回すときにホースに加わる張力を検出する張力検出手段を有し、ホースに加わる力に応じて掃除機本体を駆動するものがある。これにより、操作者の負担を軽減することができる。また、特開昭６３−２３４９２５号公報に記載の自走式電気掃除機のように、操作者が持つ送信器と受信順位を検知する受信部を有し、操作者が送信部を振った方向に掃除機が移動するものがある。これにより、操作者は所望の方向に掃除機を移動させれことができる。このような掃除機では、操作者はホースや送信機を用いて掃除機を移動させたい方向を直接入力して掃除機の操縦を行っていた。
【０００４】
また、オフィスや公共施設等の広いスペースの清掃は作業者にとって大きな負担であるため、作業場所の地図に基づいて予め決められた場所を自走して掃除する自走式掃除機が用いられている。このような自走式掃除機は障害物等を検出するセンサを搭載しており、地図に記載されていない障害物を検知した場合も、これを回避して予め設定された場所の掃除を実行する。
【０００５】
【発明が解決しようとする課題】
家庭内において、家人、特に、病気や事故が原因で身体機能に障害を有する人や筋力等の機能が低下した高齢者にとって掃除は負担の大きい家事の１つである。一般に家庭内の掃除では、掃除機を引き回して部屋内を移動する。このときに、ホースに加わる張力を検出する張力検出手段を有する電気掃除機や、操作者が持つ送信器が振られた方向を受信順位で検知する受信部を有する電気掃除機では、操作者がホースを引っ張ることや送信部を振ることによって掃除機を移動させたい方向を直接入力して掃除機の操縦を行うことができる。これにより、家庭のように環境が日々変化するような場所の掃除において、予め地図を入力して掃除場所を指示することなく、掃除機の動作を指示することができ、操作者の負担を軽減することができる。
【０００６】
しかし、上記従来技術では、操作者はホースを引っ張るか、又は送信器を振ることによって掃除機の操舵方向を指示する必要がある。このような方法では、収納場所と掃除場所の間の移動時、特に、廊下等の狭い場所の通過時や家具等が並んでいる部屋を掃除する場合に、操作中に掃除機が壁や家具等に当たらないように注意しながら操縦する必要がある。このような操作を屋内を移動したり、屋内のものを整理しながら自由自在に行うためには熟練が必要となる。このため、高齢者や機械に不慣れな操作者が思い通りの場所に掃除機を簡単に動かすことが困難であるという問題があった。
【０００７】
本発明の目的は、使用者に掛かる負担を軽減できる自走式掃除機を提供することにある。
【０００８】
【課題を解決するための手段】
上記課題を解決するために本発明は、床面を掃除する掃除部と、駆動されてこの掃除部を移動させる移動手段と、この移動手段を駆動する駆動手段とを備えた自走式掃除機であって、使用者が有して前記自走式掃除機の移動すべき位置を指示あるいは教示する位置指示手段と、前記自走式掃除機側に設けられ前記位置指示手段の位置又は方向、あるいは指示または教示された位置又は方向を計測する計測手段と、を備え、前記位置指示手段はボタンスイッチと発光手段又は発信手段を内蔵しており、前記ボタンスイッチによって前記自走式掃除機の動作モードとして追尾動作、教示動作及び実行動作が選択可能とされ、選択された動作モードに合わせて前記発光手段又は発信手段から位置信号を発光又は発信し、前記計測手段で前記動作モードを判別して前記位置指示手段の発光手段又は発信手段が発光又は発信した位置又は方向を計測し、前記追尾動作モードでは操作者が前記位置指示手段を保持して移動すると、前記自走式掃除機の正面から前記位置指示手段までの距離が最も短くなるように前記自走式掃除機を移動し、前記教示動作モードでは前記計測手段が計測した位置を一時記憶し、複数の教示位置の入力から成る領域を判断し、この領域を掃除する領域として設定し、操作者は、前記位置指示手段により前記追尾動作モードにセットして収納場所から掃除場所に移動させ、前記教示動作モードにセットして掃除すべき領域を設定し、前記実行動作モードにセットして予め設定されたパターンで前記領域内を移動して掃除を行うものである。
【０００９】
上記に記載のものにおいて、前記発光手段又は発信手段により、前記追尾動作では常時または周期的に信号を出力し続け、前記教示動作では操作者がスイッチを押下する度に信号を出力し、前記実行動作では信号を１回だけ出力することが望ましい。
【００１０】
上記に記載のものにおいて、前記位置指示手段は、使用者が手に把持、あるいは身体や衣服に装着可能とされたことが望ましい。
【００１２】
【発明の実施の形態】
以下、本発明を実施例により説明する。
【００１３】
図１は、本発明の実施例に係る自走式掃除機の構成の概略を示す縦断面図である。図２は、図１に示す自走式掃除機の動作が調節される流れを示す図である。図３は、図１に示す自走式掃除機の動作を示す図である。図４は、図１に示す自走式掃除機に係る位置の教示を示す図である。図５は、図１に示す自走式掃除機に係る位置の測定方法を示す図である。図６は、図１に示す自走式掃除機の変形例の構成の概略を示すたて断面図である。
【００１４】
自走式掃除機１は、掃除を行う掃除手段２と、車輪を備えた移動手段３と、この移動手段３を駆動するモーターを有する駆動手段４と、障害物を検出する検出手段５と、自走式掃除機１の動さや機能を調節する制御手段６とを備えている。
【００１５】
また、本実施例では、自走式掃除機１は、使用者が有して、自走式掃除機１の移動すべき位置を指示あるいは教示する位置指示手段７の位置又は方向、あるいは位置指示手段７により指示または教示された位置又は方向を計測する計測手段８とを備えている。この計測手段８は、上記計測した位置又は方向を出力して、この出力信号は、自走式掃除機１を移動するための制御信号を生成する制御信号生成手段９に伝達される。この制御信号生成手段９は、制御手段６に自走式掃除機１を駆動するための信号を送信し、制御手段６は、前記駆動手段４や自走式掃除機１の移動を補助する移動補助手段３１、掃除手段２の動作を調節し、使用者の所望の動作を行うものである。自走式掃除機１は図示しないバッテリーを電源として使用し、バッテリーの充電器を内蔵することが望ましい。
【００１６】
検出手段５は、自走式掃除機１の進行方向に存在する障害物を検出するセンサであり、自走式掃除機１がこれに衝突する前に検出して制御手段６に障害物を検出したことを示す信号を出力する。例えば、このようなセンサとしては反射型赤外線センサがある。
【００１７】
位置指示手段７は、後述するように、ボタンスイッチと発光手段又は発信手段を内蔵しており、前記スイッチによって自走式掃除機１の動作モードを追尾動作、教示動作及び実行動作等の複数の動作モードの中から、使用者が選択可能なように設けられている。
【００１８】
また、位置指示手段７は、選択されたモードに合わせて発光手段又は発信手段から位置信号を発光又は発信する。本実施例では、上記の追尾動作では常時または周期的に信号を出力し続けている。教示動作では、操作者がスイッチを押下する度に信号を出力する。実行動作では、信号を１回だけ出力する。各モードで発光する発光波長又は発信する発信周波数はモード毎に値を変えてあり、自走式掃除機１側で、発光波長又は発信周波数でモードを判別できるようにされている。これにより、使用者は、自走式掃除機１に、移動してもらいたい所望の位置や方向に関する情報を入力することができる。本実施例は、この位置や方向の情報は、自走式掃除機１が移動する位置を入力するのみでなく、自走式掃除機１に移動して掃除させる領域を教示して指定するために、自走式掃除機１が移動しない位置情報も入力が可能なものである。
【００１９】
また、位置指示手段７は、操作者が保持する位置と発光又は発信する位置の間隔を変更できるように図示しない伸縮機構を有しており、短くして携帯することも、長くして自走式掃除機１に位置を指し示すこともできる。
【００２０】
自走式掃除機１上に設けられた計測手段８は、複数の受光手段又は受信手段から成り、操作者が位置指示手段７で選択した動作モードの情報を入力すると、入力した発光波長又は発光周波数に対してフィルタリングを行い、モードを判別する。さらに、位置指示手段７の発光手段又は発信手段が発光又は発信した位置又は方向を計測して、動作モードの情報と計測した位置指示手段７の位置又は方向の情報を制御信号生成手段９に出力する。また、位置指示手段７の発光手段又は発信手段が発光又は発信して指示、または教示した位置又は方向を計測して検知し、その位置又は方向の情報を前記制御信号生成手段９に出力する。
【００２１】
この計測手段８では、発光または発信した方向の計測は、後述の通り、計測手段８に設けられた複数の計測点のうち複数の点を用いた三角測量により求められる。発光又は発信の距離は、発光または発信の強さから求める。この場合、発光又は発信の強さと距離の関係については、各センサによる測定データを得て校正をして利用できるようにテーブルデータとして記憶しておく。また、計測手段８の複数のセンサでの発信信号の到着時間の違いから求めても良い。
【００２２】
さらに、上下方向にも同様の検知を行うことで、指定された位置を三次元的に検知できる。これらの手段により、位置指示手段７の位置又は方向、あるいは位置指示手段７により指示、教示された位置又は方向を検知することができる。
【００２３】
さらに、本実施例では、図示していないが、自走式掃除機１には、掃除機１本体の前後方向、左右方向の傾斜を検知する検知手段を備えており、この検知した結果により、上記位置指示手段７の位置又は方向、位置指示手段７により指示、教示された位置又は方向をより正確に検知、計測できる。
【００２４】
制御信号生成手段９は動作モードの情報と計測した位置指示手段７の位置又は方向の情報に基づいて自走式掃除機１を移動するための制御信号を生成し、制御信号を制御手段６に出力する。動作モードが追尾動作の場合は常に位置指示手段７の位置又は方向に自走式掃除機１を移動させるための制御信号を生成し、制御手段６に出力する。
【００２５】
また、制御信号生成手段９は教示動作モードにおいて、計測手段８が計測した教示位置を一時記憶する一時記憶手段９１を内蔵し、教示動作の場合は入力される位置情報を一時記憶手段９１に記憶し、すべての教示位置の入力が終了すると、すべての教示位置から成る領域を判断し、この領域を掃除する領域として設定する。この設定した領域は、前記一時記憶手段９１または前記制御手段６に送信しても良い。
【００２６】
その後、予め設定されたパターンで領域内を移動する制御信号を生成し、記憶する。次に、実行動作の場合は教示動作で生成して記録した制御信号を制御手段６に出力する。そして、自走式掃除機１は、上記設定された領域に対して移動して、前記パターンに従って掃除を行った後、指示を待つ。
【００２７】
この設定されたパターンは、使用者により、自走式掃除機１に設定して記憶される。本実施例では、位置設定手段７を用いて、この位置設定手段７上に表示された複数のパターン中から選択されて設定される。つまり、位置指示手段７には、パターン設定手段が備えられているものである。この設定手段は、掃除機１本体に備えても良い。
【００２８】
制御手段６は検出手段５から入力された障害物検出信号と制御信号生成手段９から入力された制御信号に基づき自走式掃除機１が障害物に衝突しないように駆動手段４を制御して自走式掃除機１を移動するとともに、掃除手段２を制御して掃除を行う。
【００２９】
移動補助手段３１は駆動手段４が駆動する移動手段３に従動して自走式掃除機１の移動を補助するキャスターから成る。
【００３０】
このように構成される図１の実施例の自走式掃除機の動作を図２の処理フローを示す図を用いて説明する。◆
操作者は自走式掃除機の電源スイッチを投入する（ステップ１００）。その後、位置指示手段７のスイッチを追尾動作にセットし、例えば、自走式掃除機１の収納場所から掃除場所に移動する（ステップ１０１）。
【００３１】
検出手段５は、自走式掃除機１の進行方向に存在する障害物を検出して制御手段６に障害物検出信号を出力する。計測手段８は位置指示手段７の発光手段又は発信手段が発光又は発信した位置又は方向、或いは位置指示手段７が指示、教示する位置又は方向を計測し、位置指示手段７による位置又は方向の情報を、制御信号生成手段９に出力する。制御信号生成手段９は位置指示手段７による位置又は方向の情報に基づいて自走式掃除機１を移動するための制御信号を生成して、制御手段６に出力する。
【００３２】
制御手段６は検出手段５から入力された障害物検出信号と制御信号生成手段９から入力された制御信号に基づき自走式掃除機１が障害物に衝突しないように駆動手段４を制御して自走式掃除機１を位置指示手段７を一定の距離を保って追尾するように移動させる。自走式掃除機１は移動後、次の位置指示手段７の位置計測の入力を待機する（ステップ１０２）。
【００３３】
追尾動作モードでの自走式掃除機１の動作を、図３を用いて説明する。操作者が位置指示手段７を保持して矢印の方向に移動すると、計測手段８に内蔵した自走式掃除機１の正面に位置する受光手段が最も強く反応するように、又は計測手段８に内蔵した自走式掃除機１の正面に位置する受信手段から位置指示手段７までの距離が最も短くなるように自走式掃除機１を矢印の方向に移動する。これは自走式掃除機１が置かれた床面に平行な方向であるが、上下方向にも同様な検知手段を備えて検知することで、三次元的な位置を検知できる。
【００３４】
自走式掃除機１が掃除場所に到達すると、操作者は位置指示手段７のスイッチを教示動作にセットする。自走式掃除機１はその場に停止し、位置指示手段７の位置計測の入力を待機する（ステップ１０３）。
【００３５】
次に、教示モードの場合、まず、パターン設定モードか否かを判別し、パターン設定モード（後述するボタンが押されていれば）であれば、予め記憶されていた設定パターンを示し、使用者がこれらのうちから選択したパターンを読み込んで制御手段６に発信する。制御手段６では、この信号を受け、選択したパターンを、今後掃除しつつ移動する動作パターンとして設定する。
【００３６】
パターン設定モードでないと判断された場合には、位置指定モードと判断し、計測手段８は操作者が教示する位置で、位置指示手段７のスイッチを押下する度に出力される位置指示手段７の発光手段又は発信手段の発光信号又は発信信号の位置又は方向、或いは位置指示手段７が指示、教示する位置又は方向を計測して制御信号生成手段９に出力する。制御信号生成手段９は毎回の位置又は方向の情報を一時記憶手段９１に記憶し、すべての教示位置の入力が終了すると、すべての教示位置から成る領域を判断して設定し、前記予め設定された動作パターンで領域内を移動する制御信号を生成して一時記憶する。（ステップ１０４）。
【００３７】
教示動作モードでの自走式掃除機１の動作の一例を図４を用いて説明する。例えば、操作者は位置指示手段７を用いて教示点Ｐ１、Ｐ２、Ｐ３、Ｐ４及びＰ５の位置を教示する。このとき、Ｐ１，Ｐ２，Ｐ３，Ｐ４，Ｐ５の順に位置が記憶され、使用者が設定しない場合には、予め、支持された位置の順に移動するものと判断され、制御手段６により自走式掃除機１が動作される。
【００３８】
本実施例における自走式掃除機１が教示位置を測定する方法の例を図５を用いて説明する。◆
操作者が指示手段７により指示した位置Ｐに対して、計測手段８の２個の検知センサを選択する。例えば、指示手段７が発光することにより位置を指示する場合、計測手段８において、２個の受光手段を選択して、この検知出力を検出する。本実施例では、最も検知出力が大きな受光センサを挟んだ両側の受光センサを選択する。これらのセンサの間の距離Ｌは予めデータとして得ることができる。
【００３９】
これらのセンサで得られる検出信号の強さから、各受光センサから上記発信源への距離が判る。これらの距離データと上記受光センサ間の距離Ｌとから、図５における角度θ１，θ２が求まり、上記発信源の方向と、距離とが判明する。これにより、発信源の位置が特定され、指示手段７から掃除機１に教示されたことになる。
【００４０】
また、各受光手段として例えば、ＣＣＤ素子を用いればＰ点の仰角θ１及びθ２を画素数から求めることができるので、このＬ、θ１及びθ２から点Ｐの位置を三角測量の方法で求めることができる。また、受信手段の場合は、２個の受信手段を決め、２個の受信手段間の距離Ｌと各受信手段からの位置Ｐまでの距離を信号の到着時間に基づいて計算して点Ｐの位置を求めることができる。さらに、上記の方法を、上下方向の測定にも適用して三次元的な位置を検知することも可能となる。
【００４１】
また、本実施例では、掃除を行う領域は、領域を掃除するパターンが選択されている場合に、３つ以上の位置が指定されて後、位置教示終了が入力されると、この３つ以上の位置から定められる多角形に基づいた領域について教示されたと判断し、この領域を掃除する領域に設定する。制御手段６は、駆動手段４に指令して自走式掃除機１をこの領域に移動させ、掃除手段２を駆動して掃除を行う。また、指定された複数の位置で指示される領域のみでなく、これら指示された複数の位置と指示されたときの掃除機の位置とから定まる多角形に基づいて領域を設定しても良い。例えば、２つの位置が指定されて後、位置教示終了が入力されると、掃除機１の現在位置と前記指示された２つの位置とを結んでできる多角形に基づいた領域について教示されたものと判断し、この領域を掃除する領域に設定する。
【００４２】
領域を掃除するパターンが選択されている場合で、１つのみの位置の指示がなされた場合には、この位置を移動すべき位置として教示されたものと判断し、この位置を移動の目標位置として設定する。制御装置６は、現在位置からこの目標位置に移動しつつ掃除を行う。また、目標位置から定められた所定の領域を掃除するように掃除の動作パターンを設定しても良い。
【００４３】
次に、操作者が位置指示手段７のスイッチを実行動作にセットすると、位置指示手段７は掃除実行信号を出力する（ステップ１０５）。
【００４４】
位置指示手段７が掃除実行信号を出力すると、検出手段５は自走式掃除機１の進行方向に存在する障害物を検出して制御手段６に障害物検出信号を出力する。制御手段６は検出手段５から入力された障害物検出信号と制御信号生成手段９が一時記憶手段９１に記憶したすべての教示位置から成る領域内を予め設定されたパターンで移動する制御信号に基づき、自走式掃除機１が障害物に衝突しないように駆動手段４を制御して自走式掃除機１を移動するとともに、掃除手段２を制御して掃除を行う。（ステップ１０６）。
【００４５】
このとき、前記教示された位置の順に、例えば、Ｐ１→Ｐ２→Ｐ３→Ｐ４→Ｐ５の順に、移動してこれを掃除して、その後これらにより定まる領域内を掃除するようにしても良い。また、逆にこの領域を移動させない、または掃除させない領域として指定して、これ以外の位置や領域を掃除させるようにしても良い。
【００４６】
移動が終了すると、制御手段６は掃除手段２を停止し、自走式掃除機１は位置指示手段７からの入力を待機する。操作者の指示が終了するまでステップ１０１からステップ１０６を繰り返す（ステップ１０７）。
【００４７】
本実施例によれば、操作者は位置指示手段を用いて自走式掃除機を収納場所から掃除場所に容易に移動することができるとともに、掃除場所において、同じ位置指示手段を用いて掃除すべき場所を指示することができるので、簡単に、正確に自走式掃除機の掃除場所を指示することができるという効果がある。
【００４８】
また、位置指示手段で直接掃除位置を指示するので、機械の操作、例えば操舵等を練習する必要がなく、操作者は容易に操作することができることができるという効果がある。
【００４９】
本実施例での収納場所から掃除場所の移動は追尾する動作だけを行うようにしたが、追尾中に掃除機を動かしてもよいし、そのスイッチを位置指示手段に設けてもよい。
【００５０】
次に、図７を用いて、本実施例の位置指示手段７の構成について説明する。◆図７は、図１に示す位置指示手段の構成の概略を示す図である。この図において、位置指示手段７は、使用者が手に把持し、或いは身体や衣服に装着可能な位置指示手段７の一例７００を示している。
【００５１】
位置指示手段７００の一端側の側面には、自走式掃除機１に位置又は方向を指示、教示するための信号が発信または発光するための発光または発信部７０１が設けられている。また、一方の面上には、前述の動作運転モードに対応した、追従ボタン７０２、位置教示ボタン７０３、パターン設定ボタン７０４、教示終了ボタン７０５、実行ボタン７０６が設けられている。
【００５２】
さらに、掃除機１の実行、追従中に掃除機１の移動を操縦する操縦ボタン７０７が設けられている。また、使用者に情報を表示する表示部７０８及び掃除機１のＯＮ／ＯＦＦを行うためのボタン７０９が設けられている。
【００５３】
上記のボタン７０２〜７０６は、動作モードにおける度差選択及び終了、実行の信号を発するために押下される。例えば、追従モードでは、このモードを選択する（モードをオープンする場合）場合、モードを実行する場合に押下される。また、パターン設定モードえは、このモードを選択する場合、選択したパターンを決定する場合に押下される。位置教示モードでは、例えば、モードの選択する場合、掃除を行わせる領域を指示したり、移動の順序を指定するために、複数回押下され、このモードを終了する場合に押下される。実行モードでは、設定教示した動作を実行、登録させる場合に押下される。本実施例では、位置教示モードを終了するために押下するボタン７０５を備えているが、省略しても良い。
【００５４】
また、操縦ボタン７０７は、パターンを選択、設定する場合や、表示手段７０８に表示される情報を切替える際にも押下される。
【００５５】
次に、本発明の実施例の変形例を図６を用いて説明する。図６は、本発明の実施例の自走式掃除機の変形例の構成の概略を示す模式図である。図１と符号が同じものは図１と同じ機能を有するので説明を一部省略する。操作者は位置指示手段７の長さを変更し、保持位置と発光手段又は発信手段の位置との間隔を長くしている。これによる動作は図１に示した実施例と同じであるが、操作者は掃除すべき床面を容易にしかも正確に指示することができる。
【００５６】
本実施例によれば、廊下等のコーナーでも操作者は最短コースを進みながら、自走式掃除機は筐体が壁等に当たらないコースを容易に指示することができるので、家具や壁等に衝突することなく簡単に誘導することができるという効果がある。
【００５７】
本実施例では障害物を検出する検出手段として反射型赤外線センサを用いたが、超音波センサであってもよいし、バンパースイッチのように障害物に当たったことを検出することができるものであってもよい。
【００５８】
また、本実施例では計測手段を複数の受光手段又は受信手段を用いたが、２次元の画像を用いてもよいし、超音波を用いてもよく、これに限るものではない。
【００５９】
上記の実施例によれば、操作者は同じ位置指示手段を用いて、位置指示手段の移動経路を追尾するように掃除機を移動させることと、位置指示手段で指示した掃除すべき領域内で掃除機を移動させることとを選択して掃除機を操作することができるので、自走式掃除機を用いて簡単に掃除場所を指示することができる。
【００６０】
【発明の効果】
以上の通り、本発明によれば、使用者に掛かる負担を軽減できる自走式掃除機を提供できる。
【図面の簡単な説明】
【図１】本発明の実施例に係る自走式掃除機の構成の概略を示す縦断面図である。
【図２】図１に示す自走式掃除機の動作が調節される流れを示す図である。
【図３】図１に示す自走式掃除機の動作を示す図である。
【図４】図１に示す自走式掃除機に係る位置の教示を示す図である。
【図５】図１に示す自走式掃除機に係る位置の測定方法を示す図である。
【図６】図１に示す自走式掃除機の変形例の構成の概略を示すたて断面図である。
【図７】図１に示す自走式掃除機の実施例に係る位置指示手段の構成の概略を示す図である。
【符号の説明】
１…自走式掃除機、２…掃除手段、３…移動手段、４…駆動手段、５…検出手段、６…制御手段、７…位置指示手段、８…計測手段、９…制御信号生成手段、３１…移動補助手段、９１…一時記憶手段。
【図１】
0003849442.tif 000002
【図２】
0003849442.tif 000003
【図３】
0003849442.tif 000004
【図４】
0003849442.tif 000005
【図５】
0003849442.tif 000006
【図６】
0003849442.tif 000007
【図７】
0003849442.tif 000008